(57)【要約】【課題】集塵効率を低下させることなく抗アレルゲン効果を発揮する空気清浄フィルターを提供することを目的とする。【解決手段】高分子フェノール性水酸基を有する素材からなる抗アレルゲン剤を添着した非導電性濾材１と、エレクトレットフィルターからなる帯電性濾材２を接着剤３で接着することにより、帯電性濾材２の集塵機能により集塵を行ない、非導電性濾材１の抗アレルゲン機能によりダニ、花粉等の有害物質のアレルギー活性を不活化して集塵効率を低下させることなく抗アレルゲン効果を発揮する空気清浄フィルターが得られる。【選択図】図１
2005152796.tif 000002
【特許請求の範囲】
【請求項１】
抗アレルゲン剤を添着した非導電性濾材と、帯電性濾材を備え、前記非導電性濾材と帯電性濾材を接着して構成した空気清浄フィルター。
【請求項２】
抗アレルゲン剤が高分子フェノール性水酸基を有した請求項１記載の空気清浄フィルター。
【請求項３】
抗アレルゲン剤の添加量を０．１から１０ｇ／ｍ2の範囲とした請求項１記載の空気清浄フィルター。
【請求項４】
非導電性濾材を軟化点７０℃以上の合成繊維製とした請求項１記載の空気清浄フィルター。
【請求項５】
非導電性濾材と帯電性濾材を接着する接着剤の溶融温度を５０℃〜１８０℃とした請求項１記載の空気清浄フィルター。
【請求項６】
請求項１〜５のいずれかに記載の空気清浄フィルターを空気の吸込口と吹出口との間に配して構成した装置。
【請求項７】
装置を空気清浄装置、換気装置、加湿装置、加温装置、除湿装置、布団乾燥装置、空気調和装置、熱交換装置のいずれかとした請求項６記載の装置。
【請求項８】
請求項１〜５のいずれかに記載の空気清浄フィルターにより構成されたマスク。
【発明の詳細な説明】
【技術分野】
【０００１】
本発明は、ダニ、花粉等のアレルゲン物質を吸着し、吸着したアレルゲン物質のアレルギー活性を不活化させる空気清浄フィルターおよび装置に関する。
【背景技術】
【０００２】
従来、この種の空気清浄フィルターの一例として不織布フィルターに花粉症予防剤等の液剤を含浸させたものが知られている（例えば、特許文献１参照）。
【０００３】
以下、その不織布フィルターについて図１１および図１２を参照しながら説明する。
【０００４】
図に示すように、特定繊維の疎水性不織布１０１の少なくとも片面に親水性繊維１０２を設け、疎水性不織布１０１と親水性繊維１０２は水流交絡により互いに絡み合い一体化されている。また、疎水性不織布１０１の他の面には親水性繊維と疎水性繊維の混合繊維１０３が配され、水その他の液剤（花粉症予防剤）を含浸させて不織布フィルターを形成している。
【特許文献１】特開２００１−１７９０１９号公報（［００１１］、図１、図３）
【発明の開示】
【発明が解決しようとする課題】
【０００５】
このような従来の不織布フィルターでは、不織布フィルターに水を含浸させ、含浸した水に花粉症予防剤等を入れているため、花粉症予防剤の含浸性が少なくなるとともに、集塵効率が低下するという課題があり、集塵効率が低下しないようにすることが要求されている。
【０００６】
本発明は、このような従来の課題を解決するものであり、集塵効率を低下させることなく、抗アレルゲン効果を発揮する空気清浄フィルターおよび装置を提供することを目的とする。
【課題を解決するための手段】
【０００７】
本発明の空気清浄フィルターは上記目的を達成するために、抗アレルゲン剤を添着した非導電性濾材と帯電性濾材を備え、前記非導電性濾材と帯電性濾材を接着して構成したものである。
【０００８】
この手段により、集塵効率を低下させることなく、抗アレルゲン効果を有する空気清浄フィルターが得られる。
【０００９】
また、他の手段は、抗アレルゲン剤が高分子フェノール性水酸基を有したものである。
【００１０】
この手段により、抗アレルゲン性を有する素材として、タンニン酸、ヒドロキシ安息香酸系化合物、芳香族ヒドロキシ化合物、またはその塩、または重合体を用いることができる。
【００１１】
また、他の手段は、抗アレルゲン剤の添加量を０．１から１０ｇ／ｍ2の範囲としたものである。
【００１２】
この手段により、集塵効率を低下させることなく、抗アレルゲン効果を発揮することのできる空気清浄フィルターが得られる。
【００１３】
また、他の手段は、非導電性濾材を軟化点７０℃以上の合成繊維製としたものである。
【００１４】
この手段により、処理液と反応して溶解、変形することなく、熱を加えて効果的に乾燥することができる。
【００１５】
また、非導電性濾材と帯電性濾材を接着する接着剤の溶融温度を５０℃〜１８０℃としたものである。
【００１６】
この手段により、濾材繊維の収縮、変形や、素材の変質が防止でき、また、安定した状態で保管ができる空気清浄フィルターが得られる。
【００１７】
また、他の手段は、空気清浄フィルターを空気の吸込口と吹出口との間に配して装置を構成したものである。
【００１８】
この手段により、室内の空気を効果的に浄化することのできる装置が得られる。
【００１９】
また、他の手段は、装置を、空気清浄装置、換気装置、加湿装置、加温装置、除湿装置、布団乾燥機、空気調和機、熱交換装置のいずれかとしたものである。
【００２０】
この手段により、各装置の装置自体の機能以外に空気を効果的に浄化させることができる。
【００２１】
また、他の手段は空気清浄フィルターによりマスクを構成したものである。
【００２２】
この手段により、ダニ、花粉等の浮遊有害物質が人体に吸入されることが防止できるマスクが得られる。
【発明の効果】
【００２３】
本発明によれば、集塵効率を低下させることなく、抗アレルゲン効果を発揮できる空気清浄フィルターを提供できる。
【００２４】
また、変形や変質を防止でき安定した状態で使用できる抗アレルゲン性空気清浄フィルターを提供できる。
【００２５】
また、アレルゲン物質を含む室内の空気を効果的に浄化することのできる装置を提供できる。
【００２６】
また、ダニ、花粉等の浮遊するアレルゲン物質が人体の口から吸入されることが防止できるマスクを提供できる。
【発明を実施するための最良の形態】
【００２７】
本発明の請求項１記載の発明は、抗アレルゲン剤を添着した非導電性濾材と、帯電性濾材を備え、前記非導電性濾材と帯電性濾材を接着して構成したものであり、帯電性濾材には抗アレルゲン剤が添着されていないので集塵効率が低下されることなく、非導電性濾材により抗アレルゲン効果を発揮することができる作用を有する。
【００２８】
また、請求項２記載の発明は、抗アレルゲン剤が高分子フェノール性水酸基を有したものであり、抗アレルゲン性を有する素材として、タンニン酸、ヒドロキシ安息香酸系化合物、芳香族ヒドロキシ化合物、またはその塩、または重合体などから選択して用いることができる。
【００２９】
また、請求項３記載の発明は、抗アレルゲン剤の添加量を０．１から１０ｇ／ｍ2の範囲としたものであり、空気清浄フィルターへの抗アレルゲン剤の添加量が過少の場合は、抗アレルゲン性の機能を十分発揮することができず、過多の場合はフィルターの圧力損失が高くなり通気性が低下して空気中の有害物質を十分捕集することができず、また、装置に搭載した際には消費電力の増加や騒音の発生などが起こりやすくなり、適正範囲の添加量とすることにより、空気清浄フィルターとして抗アレルゲン機能を発揮することができる。
【００３０】
また、請求項４記載の発明は、非導電性濾材を軟化点７０℃以上の合成繊維製としたものであり、非導電性濾材としては、ポリプロピレン、ポリエチレン、ポリエステル、ポリアミドなどの有機繊維、ガラス、ケイ酸マグネシウム、アルミナなどの無機系繊維、綿などの天然繊維などがあり、処理液と反応して溶解、変形しない材質を用いることにより、熱を加えて効果的に乾燥を行うことができる作用を有する。
【００３１】
また、請求項５記載の発明は、非導電性濾材と帯電性濾材を接着する接着剤の溶融温度を５０℃〜１８０℃としたものであり、接着剤の溶融温度を１８０℃以下とすることにより、濾材繊維の収縮、変形や処理液中の抗アレルゲン剤の変質する恐れがなくなるとともに、溶融温度を５０℃以上とすることにより空気清浄フィルターの接着が常温ではがれる恐れがなくなり、空気清浄フィルターを安定して保管することができる作用を有する。
【００３２】
また、請求項６記載の発明は、請求項１〜５のいずれかに記載の空気清浄フィルターを空気の吸込口と吹出口との間に配したものであり、室内の空気中の塵埃は帯電性濾材により吸着して除去され、空気中に浮遊しているダニや花粉等は、抗アレルゲン剤を添着している非導電性濾材により吸着され、アレルゲン物質が不活化されることとなり、両者を接着して形成した空気清浄フィルターが装置内に組み込まれることにより、室内の空気が効果的に浄化される作用を有する。
【００３３】
また請求項７記載の発明は、装置を、空気清浄装置、換気装置、加湿装置、加温装置、除湿装置、布団乾燥装置、空気調和装置、熱交換装置のいずれかとしたものであり、各装置自体の機能に加え、空気中のダニや花粉を不活化する機能および塵埃などを除去する機能が加わることとなり、各装置の機能を大きくすることができる作用を有する。
【００３４】
また、請求項８記載の発明は、請求項１〜５のいずれかに記載の空気清浄フィルターにより構成されたマスクとしたものであり、ダニ、花粉等の浮遊有害物質を人体の口から吸入するのを防止することができる作用を有する。
【００３５】
以下、本発明の実施の形態について図面を参照しながら説明する。
【００３６】
（実施例の形態１）
図１に示すように、タンニン酸、ヒドロキシ安息香酸系化合物、芳香族ヒドロキシ化合物、またその塩、または重合体を有する素材からなる抗アレルゲン剤を、ポリプロピレン、ポリエチレン、ポリエステル、ポリアミド等の有機繊維、またはガラス、ケイ酸マグネシウム、アルミナ等の無機繊維、または綿等の天然繊維、その他紙、樹脂含浸紙等よりなる素材に添着して非導電性濾材１を形成する。この非導電性濾材１にエレクトレットフィルターからなる帯電性濾材２を接着剤３で接着して空気清浄フィルター４を形成する。
【００３７】
また、抗アレルゲン剤の添加量が過少の場合は、抗アレルゲン性の機能を十分発揮できず、逆に過多の場合は空気清浄フィルター４の圧力損出が高くなり通気性が低下して空気中の有害物質を十分捕集することができず、さらに装置に搭載した際に消費電力の増加や騒音の発生などの問題の原因となることから、空気清浄フィルター４への抗アレルゲン剤の添加量は０．１から１０ｇ／ｍ2の範囲が良く、好ましくは１から５ｇ／ｍ2とするのが良い。
【００３８】
また、非導電性濾材１としては、ポリプロピレン、ポリエチレン、ポリエステル、ポリアミド等の有機繊維や、ガラス、ケイ酸マグネシウム、アルミ等の無機繊維や綿等の天然繊維、その他紙などがあるが、溶剤を水で薄めて使用する処理液と反応して溶解、変形しない材質であれば良く、また非導電性濾材１に付着した処理液を乾燥するために、熱を効果的に加えるときの軟化点は７０℃以上が良く、好ましくは１００℃以上とするのが良い。
【００３９】
また、非導電性濾材１と帯電性濾材２を接着する接着剤３の溶融温度は、濾材繊維の収縮および変形や、処理液中の素材の変質が起こらないように１８０℃以下とするのが良く、また、フィルター化された空気清浄フィルター４を、安定した状態で保管を行うために、常温で接着がはがれないように５０℃以上が良く、好ましくは７０℃から１５０℃の溶融温度とするのが良い。
【００４０】
上記構成の空気清浄フィルター４を使用するときには、空気流路の風上側に帯電性濾材２側を配し、風下側に非導電性濾材１側を配設して使用する。
【００４１】
そして、空気流路に流れる空気中に浮遊する塵埃およびダニや花粉の浮遊有害物質は帯電性濾材２により電気的作用も働いて効率良く捕捉され、捕捉されたダニや花粉の有害物質は、抗アレルゲン剤を添着した非導電性濾材１による抗アレルゲン機能により、アレルギー活性が不活化されることとなり、集塵効率を低下することなく抗アレルゲン効果をもたらすものである。
【００４２】
（実施の形態２）
図２に示すように、吸込口５と吹出口６を有した枠体７内に空気清浄フィルター４Ａとファンモータ８を設けて空気清浄装置９を形成して構成する。
【００４３】
上記構成において、有害汚染物質が混入している汚れた空気は、空気清浄装置９の吸込口５からファンモータ８により吸引され、空気清浄フィルター４Ａに送られ、塵埃や有害汚染物質がフィルターにより浄化され、きれいな空気となって吹出口６により排出して供給される。このとき、空気清浄フィルター４Ａは、ダニ、花粉等の浮遊有害物質を空気清浄フィルター４Ａに含有されている抗アレルゲン剤により不活化することとなり、効率の良い空気浄化とアレルゲン不活化が行なわれ、有害性を持ったままで再飛散を防止することができる空気清浄装置９が得られる。
【００４４】
（実施の形態３）
図３に示すように、吸込口５Ａと吹出口６Ａを有したダクト１０内に空気清浄フィルター４Ｂとファンモータ８Ａを設け、換気装置１１を構成する。
【００４５】
上記構成において、有害汚染物質が混入している汚れた空気は、換気装置１１の吸込口５Ａからファンモータ８Ａにより吸引され、空気清浄フィルター４Ｂに送られ、塵埃や有害汚染物質がフィルター濾過により浄化され、きれいな空気となって吹出口６Ａより排出し供給される。このとき空気清浄フィルター４Ｂは、ダニ、花粉等の浮遊有害物質を空気清浄フィルター４Ｂに含有されている抗アレルゲン剤により不活化することとなり、効率の良い空気浄化とアレルゲン不活化が行なわれ、有害性を持ったままでの再飛散を防止することができる空気清浄機能を有した換気装置１１が得られる。
【００４６】
（実施の形態４）
図４に示すように、吸込口５Ｂと吹出口６Ｂを有した枠体７Ａ内に空気清浄フィルター４Ｃとファンモータ８Ｂと水供給部１２を設け、加湿装置１３を構成する。
【００４７】
上記構成において、有害汚染物質が混入している汚れた空気は、加湿装置１３の吸込口５Ｂからファンモータ８Ｂにより吸引され、空気清浄フィルター４Ｃに送られ、塵埃や有害汚染物質がフィルター濾過により浄化され、きれいな空気となって吹出口６Ｂより排出して供給される。このとき、空気清浄フィルター４Ｃは、吸水性基材で形成されたフィルターの一部を水中に浸積するか、上部から水を供給することにより、フィルターを通過する空気を加湿するとともに、ダニ、花粉の浮遊有害物質を濾過して浄化し、捕捉したダニ、花粉等の浮遊有害物質を不活化することとなり、効率の良い空気浄化とアレルゲン不活化が行なわれ、有害性を持ったままでの再飛散を防止することができる空気清浄機能を有した加湿装置１３が得られる。
【００４８】
（実施の形態５）
図５に示すように、吸込口５Ｃと吹出口６Ｃを有した枠体７Ｂ内に空気清浄フィルター４Ｄとファンモータ８Ｃと熱源１４を設け、加温装置１５を構成する。
【００４９】
上記構成において、有害汚染物質が混入している汚れた空気は、加温装置１５の吸込口５Ｃからファンモータ８Ｃにより吸引され、空気清浄フィルター４Ｄに送られ、塵埃や有害汚染物質がフィルター濾過により浄化され、きれいな空気が熱源１４により加熱され、吹出口６Ｃより温風となって放散される。このとき、空気清浄フィルター４Ｄはダニ、花粉の浮遊有害物質を濾過して浄化し、捕捉したダニ、花粉等の浮遊有害物質を不活化することとなり、効率の良い空気浄化とアレルゲン不活化が行なわれ有害性を持ったままでの再飛散を防止することができる空気清浄機能を有した加温装置１５が得られる。
【００５０】
（実施の形態６）
図６に示すように、吸込口５Ｄと吹出口６Ｄを有した枠体７Ｃ内に空気清浄フィルター４Ｅと除湿器１６とファンモータ８Ｄを設け除湿装置１７を構成する。
【００５１】
上記構成において、有害汚染物質が混入している湿分を含む汚れた空気は、除湿装置１７の吸込口５Ｄからファンモータ８Ｄにより吸引され、空気清浄フィルター４Ｅに送られ、塵埃や有害汚染物質がフィルター濾過により浄化され、湿分を含むきれいな空気が除湿器１６により除湿され吹出口６Ｄより除湿された空気が放散される。このとき、空気清浄フィルター４Ｅは、ダニ、花粉の浮遊有害物質を濾過して浄化し、捕捉したダニ、花粉等の浮遊有害物を不活化させることとなり、効率の良い空気浄化とアレルゲン不活化が行なわれ、有害性を持ったままでの再飛散を防止することのできる空気清浄機能を有した除湿装置１７が得られる。
【００５２】
（実施の形態７）
図７に示すように、吸込口５Ｅと吹出口６Ｅを有した枠体７Ｄ内に空気清浄フィルター４Ｆとファンモータ８Ｅと熱源４Ａを設け、吹出口６Ｅには布団（図示せず）を乾燥する乾燥袋１８を設け布団乾燥装置１９を構成する。
【００５３】
上記構成において、有害汚染物質が混入している汚れた空気は、布団乾燥装置１９の吸込口５Ｅからファンモータ８Ｄにより吸引され、空気清浄フィルター４Ｆに送られ、塵埃や有害汚染物質がファイルター濾過により浄化され、きれいな空気が熱源１４Ａにより加熱され、吹出口６Ｅに設けた乾燥袋１８内に放散され、布団の間に配設された乾燥袋１８からの放熱により布団が乾燥される。このとき、空気清浄フィルター４Ｆは、ダニ、花粉の浮遊有害物質を濾過して浄化し、捕捉したダニ、花粉等の浮遊有害物質を不活化させることとなり、効率の良い空気浄化とアレルゲン不活化が行なわれ有害性を持ったままでの再飛散を防止することのできる空気清浄機能を有した布団乾燥装置が得られる。
【００５４】
（実施の形態８）
図８に示すように、吸込口５Ｆと吹出口６Ｆを有した枠体７Ｅ内に空気清浄フィルター４Ｇと熱交換器２０とファンモータ８Ｆを設け、空気調和装置２１を構成する。
【００５５】
上記構成において、有害汚染物質が混入している汚れた空気は、空気調和装置２１の吸込口５Ｆからファンモータ８Ｆにより吸引され空気清浄フィルター４Ｇに送られ、塵埃や有害汚染物質がフィルター濾過により浄化され、きれいな空気は夏期の冷房時には熱交換器２０により冷却され、冷却された空気が吹出口６Ｆより放散されて冷房が行なわれ、冬期の暖房時には熱交換器２０により過熱され、加熱された空気が吹出口６Ｆより放散されて暖房が行なわれる。このとき、空気清浄フィルター４Ｇは、ダニ、花粉等の浮遊有害物質を濾過して浄化し、捕捉したダニ、花粉等の浮遊有害物質を不活化させることとなり、効率の良い空気浄化とアレルゲン不活化が行なわれ、有害性を持ったままでの再飛散を防止することのできる空気清浄機能を有した空気調和装置が得られる。
【００５６】
（実施の形態９）
図９に示すように、外枠２２内に室外側吸込口２３から室内側排気口２４に至る給気流路２５と、室内側吸込口２６から室外側排気口２７に至る排気流路２８と、給気流路２５に設けられる給気用ファンモータ２９と、排気流路２８に設けられる排気用ファンモータ３０と、給気流路２５と排気流路２８間に設けられる熱交換素子３１と、熱交換素子３１の風上側に設けられる空気清浄フィルター４Ｈとを設け、熱交換装置３２を構成する。
【００５７】
上記構成において、熱交換装置３２を運転すると、室内側排気口２７より室内の熱分を帯びた空気が排気用ファン３０により排気流路２８内に吸い込まれ、排気流路２８に設けた熱交換素子３１に蓄熱したのち室外側排気口２７より室外に排気され、一方、給気用ファン２９により室外側吸込口２３内に有害汚染物質が混入している汚れた空気が吸い込まれ、空気清浄フィルター４Ｈに送られ、塵埃や有害汚染物質がフィルター濾過により浄化され、きれいになった空気が熱交換素子３１を通る間に蓄熱されている熱分を回収した空気が室内側吸込口２６より室内に放散される。このとき、空気清浄フィルター４Ｈは、ダニ、花粉等の浮遊有害物質を濾過して浄化し、捕捉したダニ、花粉等の浮遊有害物質を不活化させることとなり、効率の良い空気浄化とアレルゲン不活化が行なわれ、有害性を持ったままでの再飛散を防止することのできる空気清浄機能を有した熱交換装置が得られる。
【００５８】
（実施の形態１０）
図１０に示すように、空気清浄フィルター４Ｊの両端に補強部３３を介しバンド３４を設けてマスク３５を構成する。
【００５９】
上記構成において、マスク３５の使用時には、有害汚染物質が混入している汚れた空気は、マスク３５の空気清浄フィルター４Ｊにより有害汚染物質がフィルター濾過により浄化される。このとき、空気清浄フィルター４Ｊは、ダニ、花粉等の浮遊有害物質を濾過して浄化し、捕捉したダニ、花粉等の浮遊有害物を不活化させることとなり、効率の良い空気浄化とアレルゲン不活化が行なわれ、使用者が吸い込む空気を清浄な状態に保つことができるマスク３５が得られる。
【産業上の利用可能性】
【００６０】
ダニ、花粉等の有害汚染物質を除去できる空気清浄フィルターは空気の流れが形成できる機器であれば適用することができる。
【図面の簡単な説明】
【００６１】
【図１】本発明の実施の形態１の空気清浄フィルターの断面図
【図２】本発明の実施の形態２の空気清浄装置の断面図
【図３】本発明の実施の形態３の換気装置の断面図
【図４】本発明の実施の形態４の加湿装置の断面図
【図５】本発明の実施の形態５の加温装置の断面図
【図６】本発明の実施の形態６の除湿装置の断面図
【図７】本発明の実施の形態７の布団乾燥装置の断面図
【図８】本発明の実施の形態８の空気調和装置の断面図
【図９】本発明の実施の形態９の熱交換装置の断面図
【図１０】本発明の実施の形態１０のマスクの正面図
【図１１】従来の不織布フィルターの断面図
【図１２】同他の不織布フィルターの断面図
【符号の説明】
【００６２】
１  非導電性濾材
２  帯電性濾材
３  接着剤
４  空気清浄フィルター
５  吸込口
６  吹出口
９  空気清浄装置
１１  換気装置
１３  加湿装置
１５  加温装置
１７  除湿装置
１９  布団乾燥装置
２１  空気調和装置
３２  熱交換装置
３５  マスク
【図１】
2005152796.tif 000003
【図２】
2005152796.tif 000004
【図３】
2005152796.tif 000005
【図４】
2005152796.tif 000006
【図５】
2005152796.tif 000007
【図６】
2005152796.tif 000008
【図７】
2005152796.tif 000009
【図８】
2005152796.tif 000010
【図９】
2005152796.tif 000011
【図１０】
2005152796.tif 000012
【図１１】
2005152796.tif 000013
【図１２】
2005152796.tif 000014